(57)【要約】【課題】  扉の取付位置調整を容易にし調整作業の向上を図るとともに、扉を所望の位置に取付可能とする扉のヒンジ機構を提供する。【解決手段】  軸受ブロックに固定側取付板に設けられた支持軸の嵌挿孔が底面から頂面へと貫通形成されているとともに嵌挿孔の上方に刻設された雌ねじに上方から支持軸へ接触する縦方向調節ねじが螺装されており、且つ前後方向調整ねじと左右方向調整ねじとを露出させた一方の支持板に縦方向調節ねじの操作部を露出させる透窓を形成し、一方の支持板に前後方向調整ねじ、左右方向調整ねじ、縦方向調節ねじを露出させて一方の支持板側から支持軸の前後左右及び縦方向の調整操作を同一方向から可能とする。【選択図】図1
2010248799.tif 000002
【特許請求の範囲】
【請求項１】
支持軸または軸受けを備えた固定材側取付板と扉側取付板とからなる扉用ヒンジにより扉を固定材に回動可能に支持するとともに前記各扉用ヒンジに少なくとも扉の左右方向と前後方向への取付位置を調整可能とした扉用ヒンジ機構において、
前記扉用ヒンジを構成する扉側取付板が前記扉側取付板に連設される所定の高さ間隔を有する上下一対の支持板と、前記支持板間に配置されて前記固定材側取付板に配置される支持軸を回転可能に支持する嵌挿孔を有するとともに前記一方の支持板に形成した嵌装窓に前記嵌挿孔を露出させて且つ縦軸方向に回動不能に嵌挿、支持される軸受ブロックと、前記軸受ブロックの左右側壁面ならびに後壁面に沿って嵌合する平面がコ字形で前記支持板間に扉の幅方向へだけ移動可能に配置された軸受ケースと、前記軸受ケースの一方の側壁及び後壁に沿ってそれぞれ上下方向に移動可能に且つ前記軸受ケースに縦方向に架設された前後方向調整ねじと前記上下一対の支持板間に架設された左右方向調整ねじにそれぞれ螺挿された前後方向調整部材および左右方向調整部材とを有し、
前記前後方向調整部材に形成した突起が前記軸受ケースの側壁に形成された縦方向へ延びる縦長孔とこの縦長孔に斜めに交叉するようにして軸受ブロックの側壁面に斜め方向へ延びる溝条に嵌挿されるとともに前記左右方向調整部材に形成した突起が前記軸受ケースの後壁に形成された斜め方向へ延びる斜め長孔に嵌挿されて前記上下一対の支持板の一方にそれぞれ露出させた前記前後方向調整ねじと左右方向調整ねじとを回転操作させることにより前記扉側取付板における前記軸受ブロックを前後左右に移動させて前記軸受けの位置を前後左右に調整可能としたことを特徴とする扉用ヒンジ機構。
【請求項２】
前記軸受ブロックに設けられた支持軸の嵌挿孔が底面から頂面へと貫通形成されているとともに前記嵌挿孔の上方に刻設された雌ねじに上方から前記支持軸へ接触する縦方向調節ねじが螺装されており、且つ前記前後方向調整ねじと左右方向調整ねじとを露出させた一方の支持板に前記縦方向調節ねじの操作部を露出させる透窓を形成するとともにし、前記一方の支持板に前記前後方向調整ねじ、左右方向調整ねじ、縦方向調節ねじを露出させて前記一方の支持板側から前記支持軸の前後左右及び縦方向の調整操作を同一方向から可能としたことを特徴とする請求項１に記載の扉用ヒンジ機構。
【発明の詳細な説明】
【技術分野】
【０００１】
本発明は、建物の入口や部屋の入口などに設けられる扉のヒンジ機構に関するものである。
【背景技術】
【０００２】
建物の入口や部屋の入口などに設けられる回転扉は、柱や壁などの固定材側と扉との間のヒンジ機構を介して回動し、開閉可能に取付けられており、この種の扉のヒンジ機構は、例えば、図１に示すように、上下の固定枠側取付板に支持軸又は軸受が設けられ、上下の扉側取付板に軸受又は支持軸が設けられており、前記支持軸が軸受に回動可能に嵌合し扉が開閉するようになっている。
【０００３】
また、このような扉のヒンジ機構では、扉が固定枠の所望の位置に正しく組み込まれることが必要であり、支持軸又は軸受の前後方向（扉の厚み方向），左右方向（扉の幅方向）、あるいは上下方向（扉の高さ方向）の位置を微調整することができる位置調整機構部を備えたものが、特開平９−２０３２６０号公報、特開平９−２０９６４１号公報、特開２００６−１６９８１７号公報に記載されている。
【０００４】
しかしながら、前記公報に記載されている位置調整機構部は、支持軸の位置をその調整機構部に装着された左右方向調整ねじと前後方向調整ねじとで扉体の正面側及び側面側の２方向から調整する方式であるために、場所や方向を変えて行う作業となり、また通常狭い場所での作業のこともあって調整作業が難しい。また工具が入り難い狭い空間での変則的な作業となり、作業性が悪い。
【０００５】
そこで、特開２００６−２７４５７０号公報において扉体の正面側及び側面側のいずれか一方に左右方向調整ねじと前後方向調整ねじとを同方向に配置して一方向から左右方向調整ねじと前後方向調整ねじとで扉体の正面側または側面側の１方向から調整する扉用のヒンジ機構が提案されている。
【先行技術文献】
【特許文献】
【０００６】
【特許文献１】特開平９−２０３２６０号公報
【特許文献２】特開平９−２０９６４１号公報
【特許文献３】特開２００６−１６９８１７号公報
【特許文献４】特開２００６−２７４５７０号公報
【発明の開示】
【発明が解決しようとする課題】
【０００７】
ところが、前記ヒンジ機構は、一方向から調整する左右方向調整ねじと前後方向調整ねじとで扉体の左右方向および前後方向位置を調整し、縦方向を調整する調整ねじは左右方向調整ねじおよび前後方向調整ねじとは異なって上方または下方に向けて配置されているとから左右方向調整ねじおよび前後方向調整ねじとは方向を変えて作業することになり、調整作業が難しいばかりか作業性が悪い。
【０００８】
本発明は、上記のような問題点を解決しようとするものであり、扉の取付位置調整を容易にし調整作業の向上を図るとともに、扉を所望の位置に取付可能とする扉のヒンジ機構を提供することを目的としている。
【課題を解決するための手段】
【０００９】
前記課題を解決するためになされた本発明は、支持軸または軸受けを備えた固定材側取付板と扉側取付板とからなる扉用ヒンジにより扉を固定材に回動可能に支持するとともに前記各扉用ヒンジに少なくとも扉の左右方向と前後方向への取付位置を調整可能とした扉用ヒンジ機構において、
前記扉用ヒンジを構成する扉側取付板が前記扉側取付板に連設される所定の高さ間隔を有する上下一対の支持板と、前記支持板間に配置されて前記固定材側取付板に配置される支持軸を回転可能に支持する嵌挿孔を有するとともに前記一方の支持板に形成した嵌装窓に前記嵌挿孔を露出させて且つ縦軸方向に回動不能に嵌挿、支持される軸受ブロックと、前記軸受ブロックの左右側壁面ならびに後壁面に沿って嵌合する平面がコ字形で前記支持板間に扉の幅方向へだけ移動可能に配置された軸受ケースと、前記軸受ケースの一方の側壁及び後壁に沿ってそれぞれ上下方向に移動可能に且つ前記軸受ケースに縦方向に架設された前後方向調整ねじと前記上下一対の支持板間に架設された左右方向調整ねじにそれぞれ螺挿された前後方向調整部材および左右方向調整部材とを有し、
前記前後方向調整部材に形成した突起が前記軸受ケースの側壁に形成された縦方向へ延びる縦長孔とこの縦長孔に斜めに交叉するようにして軸受ブロックの側壁面に斜め方向へ延びる溝条に嵌挿されるとともに前記左右方向調整部材に形成した突起が前記軸受ケースの後壁に形成された斜め方向へ延びる斜め長孔に嵌挿されて前記上下一対の支持板の一方にそれぞれ露出させた前記前後方向調整ねじと左右方向調整ねじとを回転操作させることにより前記扉側取付板における前記軸受ブロックを前後左右に移動させて前記軸受けの位置を前後左右に調整可能としたことを特徴とする。
【００１０】
本発明によれば、前記支持板に露出している前後方向調整ねじを回転操作すると軸受ブロックの側壁面に形成した斜め方向へ延びる溝条に突起が嵌挿される前後方向調整部材が上下して軸受ブロックが扉の前後方向（幅方向）へと独立して移動する。前記支持板に露出している左右方向調整ねじを回転操作すると軸受ケースが軸受ブロックとともに左右方向（厚さ方向）へ移動する。
【００１１】
また、前記発明において、前記軸受ブロックに前記固定側取付板に設けられた支持軸の嵌挿孔が底面から頂面へと貫通形成されているとともに前記嵌挿孔の上方に刻設された雌ねじに上方から前記支持軸へ接触する縦方向調節ねじが螺装されており、且つ前記前後方向調整ねじと左右方向調整ねじとを露出させた一方の支持板に前記縦方向調節ねじの操作部を露出させる透窓を形成し、前記一方の支持板に前記前後方向調整ねじ、左右方向調整ねじ、縦方向調節ねじを露出させて前記一方の支持板側から前記支持軸の前後左右及び縦方向の調整操作を同一方向から可能とすることができる。
【発明の効果】
【００１２】
本発明によれば、支持板に露出させた前後方向調整ねじと左右方向調整ねじとを一方向しかも露出している支持板側から操作することにより軸受ブロックを扉の厚さ方向と幅方向とに独立して移動させて軸受け位置を調整できるので操作性に優れている。また、支持板に前記前後方向調整ねじと左右方向調整とともに縦方向調整ねじを露出させることで高さ方向の調整も同一方向から調整することができる。
【図面の簡単な説明】
【００１３】
【図１】本発明の一実施の形態に係る扉用ヒンジ機構の概略図である。
【図２】図１に示した実施の形態に用いられる下方の扉用ヒンジの一部を拡大して別に示した分解斜視図である。
【図３】図２に示した扉用ヒンジについての前後方向の調整をする様子を示す説明図である。
【図４】図２に示した扉用ヒンジについての左右方向の調整をする様子を示す説明図である。
【発明を実施するための最良の形態】
【００１４】
以下に本発明の実施の形態について図面を参照して説明する。
【００１５】
図は、本発明の実施の形態に係る扉のヒンジ機構についての説明図である。
【００１６】
この実施の形態である扉用ヒンジ機構は、図１に示すように柱などの固定材（図示せず）側の上下の部分と扉３側の上下の部分にそれぞれ配置される扉用ヒンジ１，２により構成され、これらの扉用ヒンジ１は上方の扉用ヒンジ２における扉側取付板５の支持軸６が下方向に向けて付勢可能に且つ所定の範囲で縦方向に移動可能であり、下方の扉用ヒンジ１における扉側取付板５の支持軸６が固定材側取付板４に設けられている点が異なるが前後方向（扉の厚さ方向）および左右方向（扉の幅方向 ）の調整については同一の機構であり、以下に下方の扉用ヒンジ１について詳細に説明する。
【００１７】
この扉用ヒンジ１は、図１に示すように、柱などの固定材側の下の部分に取り付けられた支持軸６を上方へ向けて突設した固定部材取付板４と扉３側の下の部分に取り付けられる前記支持軸６を回動可能に嵌挿する軸受７を有する扉側取付板５により固定部材および扉３にそれぞれ取り付けられる。
【００１８】
前記扉側取付板５には複数の支持軸５ａにより所定の高さ間隔を有する上下一対の支持板５１，５２が連設されている。尚、本実施の形態では上方の支持板５１を扉側取付板５を屈曲して一体に形成することにより強度の向上と製作工程並びに製造コストの低下を可能にしているが、下方の支持板５２を扉側取付板５と一体に形成してもよく、また、それぞれを別に形成してもよい。
【００１９】
そして、前記支持板５１，５２間には前記固定材側取付板４に配置される支持軸６を回転可能に支持する嵌挿孔８１を有する四角柱状の軸受ブロック８と、この軸受ブロック８の一方の左右側壁面８２ならびに後壁面８３に沿って嵌合する平面がコ字形の軸受ケース９が配置されている。尚、本実施の形態では軸受ブロック８を四角柱状としたことにより安定した状態で軸受ケース９をガイドすることができるが軸受ブロック８は軸受ケース９をガイドすることができるものであれば板状、柱状或いは平面形状も四角に限らず円形を含めて他の形状であってもよい。
【００２０】
そして、本実施の形態では、前記軸受ブロック８は嵌挿孔８１が底面８４から頂面８５へと貫通形成されているとともに前記嵌挿孔８１の上方に刻設された雌ねじ８６に上方から支持軸６の頂部に接触する縦方向調節ねじ１１が螺装されており、更に、前記上方の支持板５１に前記縦方向調節ねじ１１の基端に形成した操作部１１１を露出するための透窓５１１が形成されているとともに前記もう一方の下方に位置する支持板５２に形成した嵌装窓５２１に軸受ブロック８を縦軸方向に回動不能に且つ前記嵌挿孔８１を露出させて嵌装している。
【００２１】
さらに、前記軸受ケース９の一方の側壁９１の上下端縁には外側へ折り曲げ形成された上下一対の支持片９１ａ，９１ｂに前後方向調整ねじ１２が架設されており、この前後方向調整ねじ１２の基端に形成される操作部１２１は前記上方に位置する支持板５１に形成した透窓５１１から露出しているとともに前後方向調整ねじ１２には前後方向調整部材１４が螺挿されて、この前後方向調整部材１４に形成した突起１４１が前記軸受ケース９の側壁９１に形成された縦方向へ延びる縦長孔９２とこの縦長孔９２に斜めに交叉するようにして軸受ブロック８の側壁面８２に斜め方向へ延びる溝条８７に嵌挿され、前後方向調整ねじ１２を回転操作することにより図３に示すように前後方向調整部材１４が上下方向へ移動して前記前記軸受ケース９の側壁９１に形成された縦方向へ延びる縦長孔９２に嵌挿させた突起１４１が溝条８７内を移動して軸受ブロック８を前後方向（図１に示す扉３の厚さ方向）へ移動させる。尚、本実施の形態では上下一対の支持片９１ａ，９１ｂを前記軸受ケース９の一方の側壁９１の上下端縁を外側へ折り曲げることにより形成したが、支持片９１ａ，９１ｂの形成手段はこれに限るものでなく、例えば別部材を用いて積み重ねたり溶着したりするなど他の手段を用いることもでき、素材も合成樹脂の場合には一体的に成型することも可能である。
【００２２】
さらにまた、前記軸受ケース９の後壁９３の上下縁には上方ならびに下方に延設する板状片からなるガイド部材９４，９４が突設されており、これらのガイド部材９４，９４が前記支持板５１，５２に形成されたガイド溝５１２，５２２にそれぞれ嵌装されて前記図１に示す扉３に沿って幅方向へ移動可能に配置されている。
【００２３】
また、前記軸受ケース９の後壁９３に沿って基端の操作部１３１を支持板５１に露出させた状態で左右方向調節ねじ１３が支持板５１，５２間に架設されているとともに前記左右方向調節ねじ１３には前記軸受ケース９の後壁９３に形成した斜め方向へ延びる長孔９５に突起１５１が嵌挿された左右方向調整部材１５が螺挿されており、図４に示すように、前記左右方向調節ねじ１３を回転操作すると左右方向調整部材１５が上下方向に移動して前記前後方向調整ねじ１２と前後方向調整部材１４とを備えた軸受ケース９が軸受ブロック８とともに一体的に左右方向（図１に示す扉３の幅方向）へ移動させることができる。
【００２４】
尚、本実施の形態では、前記軸受ケース９のもう１つの側壁９６には横方向へ延びる長孔からなるガイド孔９７が形成されているとともに前記ガイド孔９７に前記軸受ブロック８の対向する側壁８５に形成したガイド突起８８が嵌挿されており、軸受ブロック８が前後方向へ確実に移動するようにガイドされている。
【００２５】
以上の構成を有する扉用ヒンジ１は、従来の扉用ヒンジと同様に、図１に示した固定部材取付板４を柱などの固定材に取り付けるとともに扉側取付板５を扉３に取付け、固定部材取付板４に備えた支持軸６を扉側取付板５に備えた軸受７に嵌装し、具体的には支持軸６を軸受ブロック８の底面８４から嵌挿孔８１に差し込み装着する。
【００２６】
そして、従来と同様に縦方向調整ねじ１１、前後方向調整ねじ１２および左右方向調整ねじ１３を用いて固定部材取付板４に備えた支持軸６に対する扉３の縦方向、前後方向、左右方向位置を調整することになるが、本実施の形態では、扉３の手前に配置されている支持板５１に前記縦方向調整ねじ１１、前後方向調整ねじ１２および左右方向調整ねじ１３の各操作部１１１，１２１，１３１が全て露出するので、操作者は支持板５１側から縦方向調整ねじ１１、前後方向調整ねじ１２および左右方向調整ねじ１３を調整操作することができることから楽な姿勢で且つ簡単、確実に調整することができる。
【００２７】
また、本実施の形態では説明し易くするため支持板５１を露出した状態のものを示したが、必要であれば例えば合成樹脂などにより成型されたカバーCを着脱自由に装着することにより外観も美麗にすることができる。
【００２８】
尚、本実施の形態では扉の下側の配置される扉用ヒンジ１について説明したが、上側の扉用ヒンジ２も軸受ブロック８の嵌挿孔８１に支持軸６が付勢されて軸線方向に所定の距離だけ移動可能に支持されている点が異なるだけで他の前後方向ならびに左右方向への調整機構は同様であることから詳細な説明は省略する。
【符号の説明】
【００２９】
１，２  扉用ヒンジ、３  扉、４  固定材側取付板、５  扉側取付板、６  支持軸、８  軸受ブロック、９  軸受ケース、１１  縦方向調整ねじ、１２  前後方向調整ねじ、１３  左右方向調整ねじ、１５  左右方向調整部材、１４  前後方向調整部材、５１，５２  支持板、８１  嵌挿孔、８２，８３  側壁面、９１側壁、９３  後壁、１４１，１５１  突起、５１１  嵌装窓ブロック、９  軸受ケース、１１  縦方向調整ねじ、１２  前後方向調整ねじ、１３  左右方向調整ねじ、１５  左右方向調整部材、１４  前後方向調整部材、５１，５２  支持板、８１  嵌挿孔、８２，８３  側壁面、９１側壁、  ９３  後壁、１４１，１５１  突起、５１１  嵌装窓
【図１】
2010248799.tif 000003
【図２】
2010248799.tif 000004
【図３】
2010248799.tif 000005
【図４】
2010248799.tif 000006